(57)【要約】【課題】極性有りの浴槽用循環接続具において、給湯器側に往き配管及び戻り配管を接続するときに、往きと戻り側の判別が簡単にでき、往き配管と戻り配管を逆に接続してしまう事態の発生を防ぎ、接続後の手直し作業を不要にすることができる浴槽用循環接続具を提供する。【解決手段】往き配管の接続管２と戻り配管の接続管３が設けられた外部材４に内部材５を螺合し、仕切り部材１０で上記内部材５の内部を吸込み側通路８と吐出側通路９に仕切り、上記仕切り部材１０の先端側にフィルター部材１３を取り付け、上記外部材４の内部に、吸込み側通路８を往き配管の接続管２と戻り配管の接続管３の何れかに切替え接続するための切替栓１５を設けた極性有りの浴槽用循環接続具１ａにおいて、上記吸込み側通路８に、吸込み口１１から吸込み側通路８内へ入る水流を許容して逆は阻止する逆止弁３１を設けることにより、給湯器側に接続する配管に対して、空気の吹き込みで往き配管及び戻り配管の判別ができる。【選択図】　図１
2004077072.tif 000002
【特許請求の範囲】
【請求項１】
往き配管の接続管と戻り配管の接続管が設けられた外部材と、この外部材内に螺合する内部材と、この内部材の内部を吸込み側通路と吐出側通路に仕切る仕切り部材と、上記仕切り部材の先端側に取り付けられ、前面側に吸込み側通路と連通する吸込み口と周囲に吐出側通路と連通する吐出口が設けられたフィルター部材と、上記外部材の内部に、吸込み側通路を往き配管の接続管と戻り配管の接続管の何れかに切替え接続するための切替栓を設けた浴槽用循環接続具において、上記吸込み側通路に、吸込み口から吸込み側通路内へ入る水流を許容して逆は阻止する逆止弁を設けたことを特徴とする浴槽用循環接続具。
【発明の詳細な説明】
【０００１】
【発明の属する技術分野】
この発明は、浴槽の側壁に取り付け、外部に設置される給湯器の往き配管及び戻り配管を浴槽に接続し、給湯器での温湯を浴槽に対して吐出及び吸い込んで強制循環させるために用いる極性有りの浴槽用循環接続具に関する。
【０００２】
【従来の技術】
浴槽の側壁に取り付け、温湯を吐出及び吸い込んで浴槽と給湯器の間で強制循環させるための浴槽用循環接続具には、往き配管の接続管と戻り配管の接続管に対して給湯器の往き配管及び戻り配管の接続を一致させる必要のある極性有りタイプと、両接続管に対して往き配管及び戻り配管の何れを接続しても作動する無極性タイプがあり、後者の無極性タイプは、構造が複雑で内部に例えば四個の逆止弁を組み込む必要があるため、どうしても軸方向の寸法が大型化し、浴槽の側壁に取り付けたとき、浴槽内に位置させる部分の飛び出し量が大きくなるという問題がある。
【０００３】
これに対して、前者の極性有りタイプは、逆止弁の組み込みが必要ないため、比較的構造が簡単となり、浴槽内に位置させる部分の飛び出し量が少ないという利点がある。
【０００４】
図５は、従来の極性有りタイプの浴槽用循環接続具１を示し、後端壁に往き配管の接続管２と戻り配管の接続管３が設けられた外部材４と、この外部材４の内部に螺合する筒状の内部材５と、この内部材５の内部に挿入された状態で、先端のフランジ部６を内部材５の前端面に重ねてビス７で固定され、内部が吸込み側通路８となり、外周と内部材５の内周の間に吐出側通路９を形成する仕切り部材１０と、上記仕切り部材１０の先端側フランジ部６に外嵌するよう取り付けられ、前面側に吸込み側通路８と連通する吸込み口１１と周囲に吐出側通路９と連通する吐出口１２が設けられたフィルター部材１３と、上記外部材４の内部で仕切り部材１０に水密状に外嵌し、ビス１５ａで外部材４の後端壁に固定され、１８０°回転させることにより、切替孔１４で、吸込み側通路８を往き配管の接続管２と戻り配管の接続管３の何れかに切替え接続することができる切替栓１５を設けた構造になっている。
【０００５】
上記浴槽用循環接続具１は、外部材４の先端フランジ部１６と内部材５の先端フランジ部１７で浴槽Ａの側壁を内外からパッキン１８、１９を介して挟み、上記側壁に貫通状となるよう取り付け、往き配管の接続管２は往き配管を、また、戻り配管の接続管３は戻り配管を介して給湯器と接続するようになっている。
【０００６】
このような浴槽用循環接続具１は、図５のように、切替栓１５の切替孔１４を戻り配管の接続管３と連通させた状態で出荷され、従って、往き配管の接続管２に往き配管を、また、戻り配管の接続管に戻り配管を接続する必要があり、このため、両接続管２、３の外面に水の流れ方向を示す矢印と往又は戻の文字からなる表示部２０を設け、往き配管と戻り配管の接続が識別できるようにしている。
【０００７】
【発明が解決しようとする課題】
しかし、上記のような表示部２０は、浴槽用循環接続具１の位置では往き配管と戻り配管の判別できるが、離れた位置にある給湯器側に対して、往き配管及び戻り配管を接続するときに、往きと戻りの判別ができないので、往き配管と戻り配管を逆に接続してしまう事態が往々に発生する。
【０００８】
上記のように、給湯器側において、往き配管と戻り配管が逆に接続されると、吸込み側通路８を通って吸込み口１１から浴槽Ａ内に温湯が吐出し、吐出口１２から浴槽Ａ内の温湯が吸込まれることになり、このため、往き配管と戻り配管を逆に接続しても風呂が使えるため、施工者が気づかず、ユーザからのクレームで逆接続が分かるケースが多かった。
【０００９】
このように、往き配管と戻り配管を逆に接続すると、フィルター部材１３の前面から直線的に温湯が吐出するため、攪拌効果が少なく、入浴者に火傷を生じさせる危険性がある。
【００１０】
なお、上記のような逆接続が判明すると、フィルター部材１３と仕切り部材１０を取り外し、ビス１５ａを緩めて切替栓１５を１８０°回転させ、切替孔１４を往配管の接続管２と連通させ、この後、仕切り部材１０とフィルター部材１３を取り付けることにより、逆接続の問題解消を図ることができるが、このような切替は、正確に接続されていれば行わないですむ余分な作業である。
【００１１】
そこで、この発明の課題は、極性有りの浴槽用循環接続具において、給湯器側に往き配管及び戻り配管を接続するときに、往きと戻り側の判別が簡単にでき、往き配管と戻り配管を逆に接続してしまう事態の発生を防ぎ、取り付け後の手直し作業を不要にすることができる浴槽用循環接続具を提供することにある。
【００１２】
【課題を解決するための手段】
上記のような課題を解決するため、この発明は、往き配管の接続管と戻り配管の接続管が設けられた外部材と、この外部材内に螺合する内部材と、この内部材の内部を吸込み側通路と吐出側通路に仕切る仕切り部材と、上記仕切り部材の先端側に取り付けられ、前面側に吸込み側通路と連通する吸込み口と周囲に吐出側通路と連通する吐出口が設けられたフィルター部材と、上記外部材の内部に、吸込み側通路を往き配管の接続管と戻り配管の接続管の何れかに切替え接続するための切替栓を設けた浴槽用循環接続具において、上記吸込み側通路に、吸込み口から吸込み側通路内へ入る水流を許容して逆は阻止する逆止弁を設けた構成を採用したものである。
【００１３】
上記仕切り部材は、内部材の内部に挿入する筒体の先端にフランジ部を設けて形成され、筒体の内部が吸込み側通路になっていると共に、上記フランジ部を内部材の先端に設けたフランジ部に重ねてビスで固定されている。
【００１４】
また、フィルター部材は、仕切り部材の先端フランジ部に着脱可能に外嵌するフィルター本体と、このフィルター本体に外嵌した金属製の外層部材とからなり、外層部材の前面に多数に分割した吸込み口が設けられ、フィルター本体の吸込み口と対応する位置がフィルターになっている。
【００１５】
また、フィルター本体と外層部材の下部両側の位置に設けた吐出口は、仕切り部材の先端フランジ部と内部材のフランジ部間に形成した通路を介して吐出側通路と連通し、下部両側から温湯を吐出するようになっている。
【００１６】
上記逆止弁は、フィルター本体の内面側中央に設けられ、フィルター本体に突設した突軸の先端に、外周がテーパとなり貫通する複数の通孔が設けられた弁板の端面に弁体を取り付けて形成され、仕切り部材における筒体の先端部開口が、上記弁板が密嵌するテーパ孔に形成されている。
【００１７】
上記弁体は、吸込み口から吸込み側通路内へ入る水流で開弁して通孔を開き、逆流時は閉弁して通孔を閉じることにより、水の流れを一方向に規制する。
【００１８】
【発明の実施の形態】
以下、この発明の実施の形態を図示例と共に説明する。なお、図５で示した従来の浴槽用循環接続具１と同一部分は、同一符号を用いて説明する。
【００１９】
図１のように、極性有りの浴槽用循環接続具１ａは、円筒状の外部材４と、上記外部材４の内部に螺合する筒状の内部材５と、内部材５に取り付ける仕切り部材１０と、仕切り部材１０の先端に取り付けるフィルター部材１３と、上記外部材４の内部に収納された切替栓１５とを備えている。
【００２０】
上記外部材４は、先端部外周にフランジ部１６が設けられ、後端壁に往き配管の接続管２と戻り配管の接続管３が内部と連通状に設けられ、両接続管２、３の外面に、水の流れ方向を示す矢印と往又は戻の文字からなる表示部２０が設けられている。
【００２１】
上記内部材５は、先端部外周にフランジ部１７が設けられ、外部材４の内部に螺合することにより取り付けられ、浴槽Ａの側壁に設けた取り付け孔Ｂに内部材５を貫通させ、外部材４の先端フランジ部１６と内部材５の先端フランジ部１７で浴槽Ａの側壁を内外からパッキン１８、１９を介して挟むことにより、浴槽Ａの側壁に取り付けられる。
【００２２】
上記仕切り部材１０は、筒状部１０ａの先端に設けたフランジ部６を内部材５の前端面に重ねてビス７で固定され、筒状部１０ａの内部が吸込み側通路８となり、筒状部１０ａの外周と内部材５の内周の間に吐出側通路９を形成している。
【００２３】
上記フィルター部材１３は、上記仕切り部材１０の先端側フランジ部６に外嵌するよう取り付けられ、前面側に吸込み側通路８と連通する吸込み口１１と周囲の下部両側の位置に吐出側通路９と連通する吐出口１２が設けられている。
【００２４】
このフィルター部材１３は、仕切り部材１０の先端フランジ部６に着脱可能に外嵌する合成樹脂製のフィルター本体１３ａと、このフィルター本体１３ａに外嵌した金属製の外層部材１３ｂとからなり、図２のように外層部材１３ｂの前面に多数に分割した吸込み口１１が設けられ、フィルター本体１３ａの吸込み口１１と対応する位置が、合成樹脂を用いて網状に一体成形したフィルター１３ｃになっている。
【００２５】
また、フィルター本体１３ａと外層部材１３ｂの下部両側の位置に設けた吐出口１２は、仕切り部材１０の先端フランジ部６と内部材５のフランジ部１７間に形成した通路１２ａを介して吐出側通路９と連通し、下部両側から温湯を吐出するようになっている。
【００２６】
上記切替栓１５は、外部材４の内部で仕切り部材１０の筒状部１０ａに水密状に外嵌し、ビス１５ａで外部材４の後端壁に固定され、１８０°回転させることにより、切替孔１４で、吸込み側通路８を往き配管の接続管２と戻り配管の接続管３の何れかに切替え接続することができるようになっている。
【００２７】
この発明の浴槽用循環接続具１ａは、上記フィルター部材１３におけるフィルター本体１３ａの内面側中央に、吸込み側通路８内に位置し、吸込み口１１から吸込み側通路８内へ入る水流を許容して逆は阻止する逆止弁３１が設けられている。
【００２８】
この逆止弁３１は、フィルター本体１３ａの内面側中央に設けられ、フィルター本体１３ａに突設した突軸３２の先端に、外周がテーパとなり貫通する複数の通孔３３が設けられた弁板３４を設け、この弁板３４の端面に、ゴム等の弾性材料を用いた弁体３５を取り付けて形成され、仕切り部材１０における筒状部１０ａの先端部開口が、上記弁板３４が水密状に嵌合するテーパ孔３６に形成されている。
【００２９】
上記弁体３５は、吸込み口１１から吸込み側通路８内へ入る水流で開弁して通孔３３を開き、逆流時は閉弁して通孔３３を閉じることにより、水の流れを一方向に規制することになる。
【００３０】
この発明の浴槽用循環接続具１ａは、上記のような構成であり、図１のように、切替栓１５の切替孔１４を戻り配管の接続管３と連通させた状態に組み立てられて出荷される。
【００３１】
この浴槽用循環接続具１ａは、浴槽Ａに設けた取り付け孔Ｂを利用して、フィルター部材１３が浴槽Ａ内に位置するように取り付けられ、給湯器との接続のために、往き配管の接続管２に往き配管が、また、戻り配管の接続管３に戻り配管が接続される。
【００３２】
上記配管の接続時において、浴槽用循環接続具１ａの位置では、往き配管の接続管２と戻り配管の接続管３は表示部２０によって判別できるが、離れた位置にある給湯器側に往き配管及び戻り配管を接続するときに、往きと戻りの判別ができないことになる。
【００３３】
そこで、浴槽用循環接続具１ａと接続した両配管に対して、端部から口で空気を吹き込むようにして、往き配管及び戻り配管の判別を行う。
【００３４】
配管が往き配管の接続管２に接続されている場合、吹き込まれた空気は、吐出側通路９と通路１２ａを通って吐出口１２から流出し、空気の吹き込みに対して抵抗が発生しないので、往き配管であると判断できる。
【００３５】
また、配管が戻り配管の接続管に接続されている場合、吹き込まれた空気は、切替孔１４から吸込み側通路８に流れるが、この吸込み側通路８には逆止弁３１が設けてあり、空気圧が逆止弁３１の弁体３５に対して閉弁方向に作用するため、弁体３５は通孔３３を閉じることにより、空気の流出がなく、このため、空気の吹き込みに対して抵抗が発生し、空気の吹き込みができないことにより戻り配管であると判断できる。
【００３６】
従って、給湯器側において、両配管の往きと戻りの判別ができ、給湯器に対する両配管の接続時に、往き配管と戻り配管を逆に接続してしまうという間違いの発生を防止することができる。
【００３７】
なお、このような往き配管と戻り配管の確認による給湯器との接続において、万一逆接続の事態が発生した場合は、図３のように、フィルター部材１３と仕切り部材１０を取り外し、ビス１５ａを緩めて切替栓１５を１８０°回転させ、切替孔１４を往配管の接続管２と連通させ、この後、仕切り部材１０とフィルター部材１３を取り付けることにより、逆接続の問題解消を図ることができる。
【００３８】
【発明の効果】
以上のように、この発明によると、極性有りの浴槽用循環接続具において、吸込み側通路に、吸込み口から吸込み側通路内へ入る水流を許容して逆は阻止する逆止弁を設けたので、給湯器側において、空気の吹き込みで往き配管及び戻り配管の判別を行うことができ、給湯器に対する両配管の接続時に、往き配管と戻り配管を逆に接続してしまうというような間違いの発生を防止することができ、これにより、接続後において、往き配管と戻り配管を逆に接続してユーザからのクレームで行っていた手直し作業を不要にすることができる。
【図面の簡単な説明】
【図１】この発明の浴槽用循環接続具を示す出荷状態時の縦断面図
【図２】同上におけるフィルター部材の一部切り欠き正面図
【図３】この発明の浴槽用循環接続具における往き配管及び戻り配管の逆接続時の切替状態を示す縦断面図
【図４】この発明の浴槽用循環接続具の要部を示す分解図
【図５】従来の浴槽用循環接続具を示す出荷状態時の縦断面図
【符号の説明】
１　　浴槽用循環接続具
１ａ　浴槽用循環接続具
２　　往き配管の接続管
３　　戻り配管の接続管
４　　外部材
５　　内部材
６　　フランジ部
７　　ビス
８　　吸込み側通路
９　　吐出側通路
１０　仕切り部材
１１　吸込み口
１２　吐出口
１３　フィルター部材
１４　切替孔
１５　切替栓
１６　フランジ部
１７　フランジ部
１８　パッキン
１９　パッキン
２０　表示部
３１　逆止弁
３２　突軸
３３　通孔
３４　弁板
３５　弁体
３６　テーパ孔
【図１】
2004077072.tif 000003
【図２】
2004077072.tif 000004
【図３】
2004077072.tif 000005
【図４】
2004077072.tif 000006
【図５】
2004077072.tif 000007